(57)【特許請求の範囲】
【請求項１】
上部に筒状の口部を有し内部に薬剤が充填される容器と、
前記口部の下端部を密栓するとともに、押圧されることにより前記容器内に落下して前記口部を開栓する栓部材と、
前記口部に挿着される押圧部と該押圧部の上端に設けられる保持部とを備え前記栓部材を押圧し得る押圧部材と、
前記容器外に位置する前記保持部に保持される吸液性素材からなる揮散部材と、
一端が該揮散部材と連結して前記栓部材の上側に位置するとともに、前記栓部材が落下した際に他端が前記容器内に落下して前記薬剤に浸るように設けられた吸液性素材からなる吸上げ部材とを具えたことを特徴とする薬剤揮散装置。
【請求項２】
上部に筒状の口部を有し内部に薬剤が充填される容器と、
前記口部の下端部を密栓するとともに、押圧されることにより前記容器内に落下して前記口部を開栓する栓部材と、
前記口部に挿着される押圧部と該押圧部の上端に設けられる保持部とを備え前記栓部材を押圧し得る押圧部材と、
前記容器外に位置する前記保持部に保持される吸液性素材からなる揮散部材と、
一端が該揮散部材と他端が前記栓部材と連結して前記栓部材の上側に位置するとともに、前記栓部材が落下した際に他端側が前記容器内に落下して前記薬剤に浸るように設けられた吸液性素材からなる吸上げ部材とを具えたことを特徴とする薬剤揮散装置。
【請求項３】
上部に筒状の口部を有し内部に薬剤が充填される容器と、
前記口部の下端部を密栓するとともに、押圧されることにより前記容器内に落下して前記口部を開栓する栓部材と、
該栓部材の上部に載置される重りと、
前記口部に挿着される押圧部と該押圧部の上端に設けられる保持部とを備え前記栓部材を押圧し得る押圧部材と、
前記容器外に位置する前記保持部に保持される吸液性素材からなる揮散部材と、
一端が該揮散部材と他端が前記重りと連結して前記栓部材の上側に位置するとともに、前記栓部材が落下した際に他端側が前記容器内に落下して前記薬剤に浸るように設けられた吸液性素材からなる吸上げ部材とを具えたことを特徴とする薬剤揮散装置。
【請求項４】
上部に口部を有し内部に薬剤が充填される容器と、
前記口部に装着されるとともに、前記容器内外を連通する筒状の連通孔を有する蓋部材と、
前記連通孔の下端部を密栓するとともに、押圧されることにより前記容器内に落下して前記連通孔を開栓する栓部材と、
前記連通孔に挿着される押圧部と該押圧部の上端に設けられる保持部とを備え前記栓部材を押圧し得る押圧部材と、
前記容器外に位置する前記保持部に保持される吸液性素材からなる揮散部材と、
一端が該揮散部材と他端が前記栓部材と連結して前記栓部材の上側に位置するとともに、前記栓部材が落下した際に他端側が前記容器内に落下して前記薬剤に浸るように設けられた吸液性素材からなる吸上げ部材とを具えたことを特徴とする薬剤揮散装置。
【請求項５】
上部に口部を有し内部に薬剤が充填される容器と、
前記口部に装着されるとともに、容器内外を連通する筒状の連通孔を有する蓋部材と、
前記連通孔の下端部を密栓するとともに、押圧されることにより前記容器内に落下して前記連通孔を開栓する栓部材と、
該栓部材の上部に載置される重りと、
前記連通孔に挿着される押圧部と該押圧部の上端に設けられる保持部とを備え前記栓部材を押圧し得る押圧部材と、
前記容器外に位置する前記保持部に保持される吸液性素材からなる揮散部材と、
一端が該揮散部材と他端が前記重りと連結して前記栓部材の上側に位置するとともに、前記栓部材が落下した際に他端側が前記容器内に落下して前記薬剤に浸るように設けられた吸液性素材からなる吸上げ部材とを具えたことを特徴とする薬剤揮散装置。
【請求項６】
前記押圧部を筒状に形成し、該押圧部の内側に薬剤を収納した請求項１〜５記載の薬剤揮散装置。
【請求項７】
前記栓部材は吸液性素材からなる請求項１〜６記載の薬剤揮散装置。
【請求項８】
前記重りは吸液性素材からなる請求項３又は５記載の薬剤揮散装置。
【請求項９】
前記吸上げ部材は糸状をなす請求項１〜８記載の薬剤揮散装置。
【請求項１０】
前記吸上げ部材は蛇腹状をなす請求項１〜８記載の薬剤揮散装置。
【請求項１１】
前記吸上げ部材はバネ状をなす請求項１〜８記載の薬剤揮散装置。
【発明の詳細な説明】
【０００１】
【発明の属する技術分野】
この発明は芳香剤、消臭剤等の液状薬剤中に含まれる薬効成分を揮散させるのに有効な薬剤揮散装置に関し、特に、流通性、操作性に優れる薬剤揮散装置に関するものである。
【０００２】
【従来技術およびその問題点】
芳香剤、消臭剤等の液状薬剤中に含まれる薬効成分を揮散させる薬剤揮散装置には種々のタイプのものがあり、例えば、内部に液状薬剤が充填される容器と、容器の口部に挿着される吸上げ芯と、容器の口部に装着されるとともに、一部が吸上げ芯に接触する揮散紙とを具えた薬剤揮散装置等が既に知られている。
【０００３】
このようなタイプの薬剤揮散装置は、流通過程における液状薬剤の漏れ、揮散を防止するため、容器の口部をキャップ等で完全に閉塞する必要があり、包装に手間がかかる。また、使用する際には、容器の口部からキャップ等を取り外した後に口部に吸上げ芯を挿着し、吸上げ芯の一部に揮散紙を接触させる必要があるため、各部品のセットに手間がかかる。さらに、容器の口部からキャップ等を取り外す際に誤って液状薬剤が手に付着してしまうことがあるため、開封には充分な注意が必要となる。
【０００４】
この発明は、前記のような従来のもののもつ問題点を解決したものであって、簡単な包装で流通過程における液状薬剤の漏れ、揮散を防止することができるとともに、各部品のセットが簡単にでき、さらには、開封時に誤って液状薬剤が手に付着してしまうことがない、薬剤揮散装置を提供することを目的とするものである。
【０００５】
【問題点を解決するための手段】
上記の問題点を解決するためにこの発明は、上部に筒状の口部を有し内部に薬剤が充填される容器と、前記口部の下端部を密栓するとともに、押圧されることにより前記容器内に落下して前記口部を開栓する栓部材と、前記口部に挿着される押圧部と該押圧部の上端に設けられる保持部とを備え前記栓部材を押圧し得る押圧部材と、前記容器外に位置する前記保持部に保持される吸液性素材からなる揮散部材と、一端が該揮散部材と連結して前記栓部材の上側に位置するとともに、前記栓部材が落下した際に他端が前記容器内に落下して前記薬剤に浸るように設けられた吸液性素材からなる吸上げ部材とを具えた手段を採用したものである。また、上部に筒状の口部を有し内部に薬剤が充填される容器と、前記口部の下端部を密栓するとともに、押圧されることにより前記容器内に落下して前記口部を開栓する栓部材と、前記口部に挿着される押圧部と該押圧部の上端に設けられる保持部とを備え前記栓部材を押圧し得る押圧部材と、前記容器外に位置する前記保持部に保持される吸液性素材からなる揮散部材と、一端が該揮散部材と他端が前記栓部材と連結して前記栓部材の上側に位置するとともに、前記栓部材が落下した際に他端側が前記容器内に落下して前記薬剤に浸るように設けられた吸液性素材からなる吸上げ部材とを具えた手段を採用したものである。さらに、上部に筒状の口部を有し内部に薬剤が充填される容器と、前記口部の下端部を密栓するとともに、押圧されることにより前記容器内に落下して前記口部を開栓する栓部材と、該栓部材の上部に載置される重りと、前記口部に挿着される押圧部と該押圧部の上端に設けられる保持部とを備え前記栓部材を押圧し得る押圧部材と、前記容器外に位置する前記保持部に保持される吸液性素材からなる揮散部材と、一端が該揮散部材と他端が前記重りと連結して前記栓部材の上側に位置するとともに、前記栓部材が落下した際に他端側が前記容器内に落下して前記薬剤に浸るように設けられた吸液性素材からなる吸上げ部材とを具えた手段を採用したものである。さらに、上部に口部を有し内部に薬剤が充填される容器と、前記口部に装着されるとともに、前記容器内外を連通する筒状の連通孔を有する蓋部材と、前記連通孔の下端部を密栓するとともに、押圧されることにより前記容器内に落下して前記連通孔を開栓する栓部材と、前記連通孔に挿着される押圧部と該押圧部の上端に設けられる保持部とを備え前記栓部材を押圧し得る押圧部材と、前記容器外に位置する前記保持部に保持される吸液性素材からなる揮散部材と、一端が該揮散部材と他端が前記栓部材と連結して前記栓部材の上側に位置するとともに、前記栓部材が落下した際に他端側が前記容器内に落下して前記薬剤に浸るように設けられた吸液性素材からなる吸上げ部材とを具えた手段を採用したものである。さらに、上部に口部を有し内部に薬剤が充填される容器と、前記口部に装着されるとともに、前記容器内外を連通する筒状の連通孔を有する蓋部材と、前記連通孔の下端部を密栓するとともに、押圧されることにより前記容器内に落下して前記連通孔を開栓する栓部材と、該栓部材の上部に載置される重りと、前記連通孔に挿着される押圧部と該押圧部の上端に設けられる保持部とを備え前記栓部材を押圧し得る押圧部材と、前記容器外に位置する前記保持部に保持される吸液性素材からなる揮散部材と、一端が該揮散部材と他端が前記重りと連結して前記栓部材の上側に位置するとともに、前記栓部材が落下した際に他端側が前記容器内に落下して前記薬剤に浸るように設けられた吸液性素材からなる吸上げ部材とを具えた手段を採用したものである。さらに、前記押圧部を筒状に形成し、該押圧部の内側に薬剤を収納した手段を採用したものである。さらに、前記栓部材は吸液性素材からなる手段を採用したものである。さらに、前記重りは吸液性素材からなる手段を採用したものである。さらに、前記吸上げ部材は糸状をなす手段を採用したものであり、前記吸上げ部材は蛇腹状をなす手段を採用したものであり、前記吸上げ部材はバネ状をなす手段を採用したものである。
【０００６】
【作用】
この発明は前記のような手段を採用したことにより、押圧部材によって栓部材を押圧すると、栓部材が容器内に落下して容器の口部が開栓され、吸上げ部材が液状薬剤と接触することにより、液状薬剤が揮散部材に吸上げられ、揮散部材において液状薬剤中の薬効成分が空気中に揮散することになる。また、栓部材の上部に重りを載置した場合には、押圧部材によって栓部材を押圧すると、栓部材及び重りが容器内に落下して容器の口部が開栓され、吸上げ部材が液状薬剤と接触することにより、液状薬剤が揮散部材に吸上げられ、揮散部材において液状薬剤中の薬効成分が空気中に揮散することになる。
【０００７】
【発明の実施の形態】
以下、図面に示すこの発明の実施の形態について説明する。
図１及び図２には、この発明による薬剤揮散装置の第１の実施の形態が示されている。この薬剤揮散装置は、内部に芳香剤、消臭剤等の液状薬剤１０が充填される容器１と、容器１の口部２に挿着される栓部材３と、栓部材３の上部に載置される重り４と、容器１の口部２に装着されるとともに、栓部材３を容器１の内部方向に押圧し得る押圧部材５と、押圧部材５に装着される揮散部材８と、揮散部材８と重り４とを連結する吸上げ部材９とを具えている。
【０００８】
容器１は、合成樹脂、ガラス等から形成される半透明体又は透明体であって、球形状、半球形状、円錐形状、角錐形状等の適宜の形状に形成されるものである。容器１の上部には筒状の口部２が形成され、この口部２を介して容器１内に芳香剤、消臭剤等の液状薬剤１０が充填されるようになっている。
【０００９】
容器１の口部２の内面側の最下部には円板状の栓部材３が挿着され、この栓部材３によって口部２が密栓されるようになっている。栓部材３は、ゴム、合成樹脂、金属、それらを組合せたもの、吸液性素材等から形成されるものであって、開栓時には容器１内に落下するようになっている。
【００１０】
押圧部材５は、容器１の口部２に挿着される筒状の押圧部６と、押圧部６の上端に一体に設けられる揮散部材８を保持するための保持部７とから構成されている。押圧部６は、口部２の全長と同じ長さ又は全長よりもやや長い長さに形成され、下端が栓部材３の上面に接触する位置まで挿入されるようになっている。保持部７は揮散部材８の形状に応じた形状に形成されるものであって、上面側に揮散部材８が装着されるようになっている。揮散部材８は、フェルト、ろ紙等の吸液性素材から形成されるものであって、円形、半円形、三角形、四角形、六角形等の適宜の形状に形成されるものである。
【００１１】
重り４は、ガラス、合成樹脂、ゴム、金属、それらの組合せ、吸水性素材等から形成されるものであって、球状、半球状、円柱状、角柱状、三角錐、四角錐等の適宜の形状に形成されるものである。
【００１２】
吸上げ部材９は、吸液性素材から形成されるものであって、糸状に形成されるものである。吸上げ部材９の一端は接着剤等によって揮散部材８に連結されるとともに、他端は接着剤等によって重り４に連結されるようになっている。
【００１３】
そして、上記のように構成したこの実施の形態による薬剤揮散装置の押圧部材５を押圧すると、押圧部６によって栓部材３が下方に押圧されて容器１内に落下して容器１の口部２が開栓され、このとき重り４も一緒に落下して液状薬剤１０中に浸され、重り４に連結している吸上げ部材９を介して液状薬剤１０が揮散部材８に吸上げられ、揮散部材８において液状薬剤１０中の薬効成分が空気中に揮散することになる。
【００１４】
上記のように構成したこの実施の形態による薬剤揮散装置にあっては、容器１の口部２の内面側に栓部材３を挿着することによって、容器１の口部２を簡単かつ確実に密栓することができるので、従来のもののように、キャップ等を用いる必要がなくなり、簡単な包装で流通過程における液状薬剤１０の漏れ、揮散を防止することができることになる。
【００１５】
また、容器１の口部２を開栓させるには、包装を解いて押圧部材５の押圧部６によって栓部材３を押圧すればよいので、従来のもののように、各部品のセットに手間がかかるようなことはなく、簡単に使用を開始することができることになる。
【００１６】
さらに、押圧部材５によって栓部材３を押圧することによって容器１の口部２を開栓させるので、キャップ等を使用した場合等のように、キャップ等を取り外す際に誤って容器１中の液状薬剤１０が手に付着するようなことはない。したがって、開封に、各部品のセット等に神経を使う必要がなくなる。
【００１７】
そして、容器１を透明体、又は半透明体としたことにより、外部から容器１内を目視することができることになる。したがって、容器１のデザインと吸上げ部材９、重り４、栓部材３及び揮散部材８のデザインとが相俟って、意匠性が高まることになる。
【００１８】
図３及び図４には、この発明による薬剤揮散装置の第２の実施の形態が示されている。この薬剤揮散装置は、栓部材３と押圧部材５との間に形成される空間内に、薬剤１５を収納したものであって、その他の構成は前記第１の実施の形態に示すものと同様である。
【００１９】
薬剤１５としては、液状の防虫剤、消臭剤、芳香剤等の薬剤をセルロースビーズ、シリカゲル等に含浸したものを用いることができる。
【００２０】
そして、この実施の形態に示すものにあっても前記第１の実施の形態に示すものと同様に、容器１の口部２の内面側に栓部材３を挿着することによって、容器１の口部２を簡単かつ確実に密栓することができるので、従来のもののように、キャップ等を用いる必要がなくなり、簡単な包装で流通過程における液状薬剤１０の漏れ、揮散を防止することができることになる。
【００２１】
また、容器１の口部２を開栓させるには、包装を解いて押圧部材５の押圧部６によって栓部材３を押圧すればよいので、従来のもののように、各部品のセットに手間がかかるようなことはなく、簡単に使用を開始することができることになる。
【００２２】
さらに、押圧部材５によって栓部材３を押圧することによって容器１の口部２を開栓させるので、キャップ等を使用した場合等のように、キャップ等を取り外す際に誤って容器１中の液状薬剤１０が手に付着するようなことはない。したがって、開封に、各部品のセット等に神経を使う必要がなくなる。
【００２３】
さらに、容器１を透明体、又は半透明体としたことにより、外部から容器１内を目視することができることになる。したがって、容器１のデザインと吸上げ部材９、重り４、栓部材３及び揮散部材８のデザインとが相俟って、意匠性が高まることになる。
【００２４】
そして、栓部材３を開栓したときに、空間内に収納されている薬剤１５も液状薬剤１０中に落下することになり、落下した薬剤１５は含浸されている薬剤が徐々に液状薬剤１０中に染み出し、染み出した薬剤は液状薬剤１０と一緒に吸上げ部材９を介して揮散部材８に導かれ、揮散部材８において薬効成分が空気中に揮散することになる。
【００２５】
なお、薬剤１５の代わりに粒状染料を用いることにより、液状薬剤１０の色を変えることができ、薬剤１５の代わりに高吸水性ポリマー、ハイドロゲルを用いれば、液状薬剤１０の粘度を変化させることができ、液状薬剤１０の代わりにガラスビーズを用いれば容器１全体の意匠性を高めることができる。
【００２６】
図５及び図６には、この発明による薬剤揮散装置の第３の実施の形態が示されている。この薬剤揮散装置は、重りを使用せずに栓部材３に直接に吸上げ部材９を連結するようにしたものであって、その他の構成は前記第１の実施の形態に示すものと同様である。
【００２７】
そして、この実施の形態に示すものにあっても前記第１の実施の形態に示すものと同様に、容器１の口部２の内面側に栓部材３を挿着することによって、容器１の口部２を簡単かつ確実に密栓することができるので、従来のもののように、キャップ等を用いる必要がなくなり、簡単な包装で流通過程における液状薬剤１０の漏れ、揮散を防止することができることになる。
【００２８】
また、容器１の口部２を開栓させるには、包装を解いて押圧部材５の押圧部６によって栓部材３を押圧すればよいので、従来のもののように、各部品のセットに手間がかかるようなことはなく、簡単に使用を開始することができることになる。
【００２９】
さらに、押圧部材５によって栓部材３を押圧することによって容器１の口部２を開栓させるので、キャップ等を使用した場合等のように、キャップ等を取り外す際に誤って容器１中の液状薬剤１０が手に付着するようなことはない。したがって、開封に、各部品のセット等に神経を使う必要がなくなる。
【００３０】
そして、容器１を透明体、又は半透明体としたことにより、外部から容器１内を目視することができることになる。したがって、容器１のデザインと吸上げ部材９、重り４、栓部材３及び揮散部材８のデザインとが相俟って、意匠性が高まることになる。
【００３１】
なお、この実施の形態においては、栓部材３に直接に吸上げ部材９を連結しているので、栓部材３を容器１内に落下した際に液状薬剤１０中に浸されるように構成している。また、この実施の形態においても、前記第２の実施の形態に示すものと同様に、栓部材３と押圧部材５との間に形成される空間内に薬剤を収納することによって、第２の実施の形態に示すものと同様の効果が得られるものである。
【００３２】
図７及び図８には、この発明による薬剤揮散装置の第４の実施の形態が示されている。この薬剤揮散装置は、重りを使用せずに栓部材３に吸上げ部材９を接触させるようにしたものであって、その他の構成は前記第１の実施の形態に示すものと同様である。
【００３３】
そして、この実施の形態に示すものにあっても前記第１の実施の形態に示すものと同様に、容器１の口部２の内面側に栓部材３を挿着することによって、容器１の口部２を簡単かつ確実に密栓することができるので、従来のもののように、キャップ等を用いる必要がなくなり、簡単な包装で流通過程における液状薬剤１０の漏れ、揮散を防止することができることになる。
【００３４】
また、容器１の口部２を開栓させるには、包装を解いて押圧部材５の押圧部６によって栓部材３を押圧すればよいので、従来のもののように、各部品のセットに手間がかかるようなことはなく、簡単に使用を開始することができることになる。
【００３５】
さらに、押圧部材５によって栓部材３を押圧することによって容器１の口部２を開栓させるので、キャップ等を使用した場合等のように、キャップ等を取り外す際に誤って容器１中の液状薬剤１０が手に付着するようなことはない。したがって、開封に、各部品のセット等に神経を使う必要がなくなる。
【００３６】
そして、容器１を透明体、又は半透明体としたことにより、外部から容器１内を目視することができることになる。したがって、容器１のデザインと吸上げ部材９、重り４、栓部材３及び揮散部材８のデザインとが相俟って、意匠性が高まることになる。
【００３７】
なお、この実施の形態においては、栓部材３に吸上げ部材９を接触させているので、栓部材３が容器１内に落下した際に吸上げ部材９は自重で液状薬剤１０中に浸されるように構成している。また、この実施の形態においても、前記第２の実施の形態に示すものと同様に、栓部材３と押圧部材５との間に形成される空間内に薬剤を収納することによって、第２の実施の形態に示すものと同様の効果が得られるものである。
【００３８】
図９及び図１０には、この発明による薬剤揮散装置の第５の実施の形態が示されている。この薬剤揮散装置は、金属製のバネの周囲に吸液性素材を巻回させたものを吸上げ部材９としたものであって、その他の構成は前記第２の実施の形態に示すものと同様である。
【００３９】
そして、この実施の形態に示すものにあっても前記第１の実施の形態に示すものと同様に、容器１の口部２の内面側に栓部材３を挿着することによって、容器１の口部２を簡単かつ確実に密栓することができるので、従来のもののように、キャップ等を用いる必要がなくなり、簡単な包装で流通過程における液状薬剤１０の漏れ、揮散を防止することができることになる。
【００４０】
また、容器１の口部２を開栓させるには、包装を解いて押圧部材５の押圧部６によって栓部材３を押圧すればよいので、従来のもののように、各部品のセットに手間がかかるようなことはなく、簡単に使用を開始することができることになる。
【００４１】
さらに、押圧部材５によって栓部材３を押圧することによって容器１の口部２を開栓させるので、キャップ等を使用した場合等のように、キャップ等を取り外す際に誤って容器１中の液状薬剤１０が手に付着するようなことはない。したがって、開封に、各部品のセット等に神経を使う必要がなくなる。
【００４２】
そして、容器１を透明体、又は半透明体としたことにより、外部から容器１内を目視することができることになる。したがって、容器１のデザインと吸上げ部材９、重り４、栓部材３及び揮散部材８のデザインとが相俟って、意匠性が高まることになる。
【００４３】
なお、この実施の形態においては、吸上げ部材９の下端は栓部材３に接触しているだけの構成となっているが、吸上げ部材９は金属製のバネを有しているので、それ自体の重量で液状薬剤１０中に容易に浸されることになる。したがって、吸上げ部材９を介して揮散部材８に液状薬剤１０を問題なく吸い上げることができることになる。また、この実施の形態においても、前記第２の実施の形態に示すものと同様に、栓部材３と押圧部材５との間に形成される空間内に薬剤を収納することによって、第２の実施の形態に示すものと同様の効果が得られるものである。
【００４４】
図１１及び図１２には、この発明による薬剤揮散装置の第６の実施の形態が示されている。この薬剤揮散装置は、シート状のろ紙を折り畳んで蛇腹状に形成したものを吸上げ部材９としたものであって、その他の構成は前記第２の実施の形態に示すものと同様である。
【００４５】
そして、この実施の形態に示すものにあっても前記第１の実施の形態に示すものと同様に、容器１の口部２の内面側に栓部材３を挿着することによって、容器１の口部２を簡単かつ確実に密栓することができるので、従来のもののように、キャップ等を用いる必要がなくなり、簡単な包装で流通過程における液状薬剤１０の漏れ、揮散を防止することができることになる。
【００４６】
また、容器１の口部２を開栓させるには、包装を解いて押圧部材５の押圧部６によって栓部材３を押圧すればよいので、従来のもののように、各部品のセットに手間がかかるようなことはなく、簡単に使用を開始することができることになる。
【００４７】
さらに、押圧部材５によって栓部材３を押圧することによって容器１の口部２を開栓させるので、キャップ等を使用した場合等のように、キャップ等を取り外す際に誤って容器１中の液状薬剤１０が手に付着するようなことはない。したがって、開封に、各部品のセット等に神経を使う必要がなくなる。
【００４８】
そして、容器１を透明体、又は半透明体としたことにより、外部から容器１内を目視することができることになる。したがって、容器１のデザインと吸上げ部材９、重り４、栓部材３及び揮散部材８のデザインとが相俟って、意匠性が高まることになる。
【００４９】
なお、この実施の形態においては、吸上げ部材９の下端部が確実に液状薬剤１０内に浸されるように、栓部材３は容器１内に落下した際に液状薬剤１０中に浸される構成としている。また、この実施の形態においても、前記第２の実施の形態に示すものと同様に、栓部材３と押圧部材５との間に形成される空間内に薬剤を収納することによって、第２の実施の形態に示すものと同様の効果が得られるものである。
【００５０】
図１３及び図１４には、この発明による薬剤揮散装置の第７の実施の形態が示されている。この薬剤揮散装置は、押圧部材５の押圧部６と保持部７とを別体に形成したものであって、その他の構成は前記第２の実施の形態に示すものと同様である。
【００５１】
この場合、押圧部６の上端には押圧部６が容器１内に落下するのを防止するための係止部６ａが一体に設けられている。保持部７の下面中央部には筒状の支持部７ａが一体に設けられ、この支持部７ａの内周側に容器１の口部２の外周面及び係止部６ａの外周面が相対的にスライド可能に位置するようになっている。
【００５２】
そして、押圧部材５によって栓部材３を押圧するには、保持部７を揮散部材８と一体に下方に押圧して、揮散部材８の下面側を押圧部６の係止部６ａの上面側に当接させ、この状態から保持部７、揮散部材８及び押圧部６を更に下方に押圧すればよい。
【００５３】
そして、この実施の形態に示すものにあっても前記第１の実施の形態に示すものと同様に、容器１の口部２の内面側に挿着した栓部材３によって容器１の口部２を密栓するようにしたので、流通過程において液状薬剤１０の漏れ、揮散を防止するためにキャップ等を用いて包装する必要がなくなる。
【００５４】
また、容器１の口部２を開栓させる場合には、押圧部材５の押圧部６によって栓部材３を押圧すれば足りるので、使用開始する際の各部品のセットに要する手間が少なくて済むことになる。
【００５５】
さらに、押圧部材５によって栓部材３を押圧することによって容器１の口部２を開栓させることができるので、キャップ等を使用した場合等のように、開封時に誤って液状薬剤１０が手に付着するようなことはなくなる。
【００５６】
そして、容器１を透明体、又は半透明体としたことにより、外部から容器１内を目視することができることになる。したがって、容器１のデザインと吸上げ部材９、重り４、栓部材３及び揮散部材８のデザインとが相俟って、意匠性が高まることになる。
【００５７】
なお、この実施の形態においては、吸上げ部材９の下端部が確実に液状薬剤１０内に浸されるように、栓部材３は容器１内に落下した際に液状薬剤１０中に浸される構成としている。また、この実施の形態においても、前記第２の実施の形態に示すものと同様に、栓部材３と押圧部材５との間に形成される空間内に薬剤を収納することによって、第２の実施の形態に示すものと同様の効果が得られるものである。
【００５８】
図１５及び図１６には、この発明による薬剤揮散装置の第８の実施の形態が示されている。この薬剤揮散装置は、容器１の口部２にキャップ状の蓋部材１１を装着するとともに、蓋部材１１の中心部に設けた容器１内外を連通する連通孔１３を球状の栓部材３によって密栓、開栓するようにしたものであって、その他の構成は前記第７の実施の形態に示すものと同様である。
【００５９】
押圧部材５の保持部７の下面側には筒状の支持部７ａが一体に設けられ、この支持部７ａの内周側に蓋部材１１の外周面がスライド可能に位置するようになっている。蓋部材１１の下面中央部には下方に突出する筒状の突起１２が一体に設けられ、この突起１２の中心部に容器１内外を連通する連通孔１３が形成されるようになっている。栓部材３の上部には突起１２の下端部が嵌合し得る凹部３ａが形成され、この凹部３ａ内に突起１２の下端部を嵌合させることで、連通孔１３が密栓されるようになっている。
【００６０】
そして、押圧部材５によって栓部材３を押圧する場合には、保持部７を揮散部材８と一体に下方に押圧させて、保持部７の下面側を押圧部６の係止部６ａの上面側に当接させるとともに、この状態で保持部７、揮散部材８及び押圧部６を一体に下方に押圧すればよい。
【００６１】
そして、この実施の形態に示すものにあっても、前記第１の実施の形態に示すものと同様に、蓋部材１１の突起１２の下端部に嵌合させた栓部材３によって容器１の口部２を密栓するようにしたので、流通過程において液状薬剤１０の漏れ、揮散を防止するためにキャップ等を用いて包装する必要がなくなる。
【００６２】
また、容器１の口部２を開栓させる場合には、押圧部材５の押圧部６によって栓部材３を押圧すれば足りるので、使用開始する際の各部品のセットに要する手間が少なくて済むことになる。
【００６３】
さらに、押圧部材５によって栓部材３を押圧することによって容器１の口部２を開栓させることができるので、キャップ等を使用した場合等のように、開封時に誤って液状薬剤１０が手に付着するようなことはなくなる。
【００６４】
そして、容器１を透明体、又は半透明体としたことにより、外部から容器１内を目視することができることになる。したがって、容器１のデザインと吸上げ部材９、重り４、栓部材３及び揮散部材８のデザインとが相俟って、意匠性が高まることになる。
【００６５】
なお、前記の説明においては、栓部材３の凹部３ａ内に蓋部材１１の突起１２の下端部を嵌合させることで、蓋部材１１の連通孔１３を密栓するように構成したが、連通孔１３内に栓部材（図示せず）を挿着することで連通孔１３を密栓するようにしてもよいものである。また、この実施の形態においては、吸上げ部材９の下端部が確実に液状薬剤１０内に浸されるように、栓部材３は容器１内に落下した際に液状薬剤１０中に浸される構成としている。さらに、この実施の形態においても、前記第２の実施の形態に示すものと同様に、栓部材３と押圧部材５との間に形成される空間内に薬剤を収納することによって、第２の実施の形態に示すものと同様の効果が得られるものである。
【００６６】
【発明の効果】
この発明は前記のように構成したことにより、キャップ等を使用することなく流通過程において液状薬剤の漏れ、揮散を防止することができることになる。したがって、包装を簡素化することができることになる。また、使用開始する場合には、押圧部材によって栓部材を押圧すれば足りることになるので、使用開始の際のセットに要する手間を大幅に削減することができることになる。さらに、使用を開始する際には、押圧部材を押圧するだけで足りるので、誤って容器内の液状薬剤が手に付着するようなことはなく、安心して使用することができることになる。さらに、栓部材と押圧部材とによって形成される空間内に薬剤を収納するようにしたことにより、栓部材を開栓した際に薬剤も液状薬剤中に落下することになるので、液状薬剤と薬剤の両方による薬効成分が得られることになる等の優れた効果を奏するものである。
【図面の簡単な説明】
【図１】この発明による薬剤揮散装置の第１の実施の形態を示した概略断面図であり、使用開始前の状態を示した概略断面図である。
【図２】図１に示すものの使用開始後の状態を示した概略断面図である。
【図３】この発明による薬剤揮散装置の第２の実施の形態を示した概略断面図であり、使用開始前の状態を示した概略断面図である。
【図４】図３に示すものの使用開始後の状態を示した概略断面図である。
【図５】この発明による薬剤揮散装置の第３の実施の形態を示した概略断面図であり、使用開始前の状態を示した概略断面図である。
【図６】図５に示すものの使用開始後の状態を示した概略断面図である。
【図７】この発明による薬剤揮散装置の第４の実施の形態を示した概略断面図であり、使用開始前の状態を示した概略断面図である。
【図８】図７に示すものの使用開始後の状態を示した概略断面図である。
【図９】この発明による薬剤揮散装置の第５の実施の形態を示した概略断面図であり、使用開始前の状態を示した概略断面図である。
【図１０】図９に示すものの使用開始後の状態を示した概略断面図である。
【図１１】この発明による薬剤揮散装置の第６の実施の形態を示した概略断面図であり、使用開始前の状態を示した概略断面図である。
【図１２】図１１に示すものの使用開始後の状態を示した概略断面図である。
【図１３】この発明による薬剤揮散装置の第７の実施の形態を示した概略断面図であり、使用開始前の状態を示した概略断面図である。
【図１４】図１３に示すものの使用開始後の状態を示した概略断面図である。
【図１５】この発明による薬剤揮散装置の第８の実施の形態を示した概略断面図であり、使用開始前の状態を示した概略断面図である。
【図１６】図１３に示すものの使用開始後の状態を示した概略断面図である。
【符号の説明】
１……容器
２……口部
３……栓部材
３ａ……凹部
４……重り
５……押圧部材
６……押圧部
６ａ……係止部
７……保持部
７ａ……支持部
８……揮散部材
９……吸上げ部材
１０……液状薬剤
１１……蓋部材
１２……突起
１３……連通孔
１５……薬剤
【図１】
0004272716.tif 000002
【図２】
0004272716.tif 000003
【図３】
0004272716.tif 000004
【図４】
0004272716.tif 000005
【図５】
0004272716.tif 000006
【図６】
0004272716.tif 000007
【図７】
0004272716.tif 000008
【図８】
0004272716.tif 000009
【図９】
0004272716.tif 000010
【図１０】
0004272716.tif 000011
【図１１】
0004272716.tif 000012
【図１２】
0004272716.tif 000013
【図１３】
0004272716.tif 000014
【図１４】
0004272716.tif 000015
【図１５】
0004272716.tif 000016
【図１６】
0004272716.tif 000017